(57)【特許請求の範囲】
【請求項１】
魚釣用電動リールが取り付けられるリール取付部を有し、前記電動リールに給電するバッテリを着脱可能な釣竿用ハンドルであって、
前記ハンドルの先端と後端との間に設けられ前記バッテリを保持するバッテリ保持部と、
前記バッテリ保持部に設けられ、前記ハンドルの径方向の周面に開口し、前記バッテリを出し入れするための開口部と、
を具備することを特徴とする釣竿用ハンドル。
【請求項２】
前記バッテリ保持部は、前記ハンドルの長手方向の中心軸に前記バッテリの少なくとも一部がかかる状態で、前記バッテリを保持することを特徴とする請求項１に記載の釣竿用ハンドル。
【請求項３】
前記バッテリ保持部は、前記ハンドルのうち前記バッテリ保持部の前後に隣接する部分よりも少なくとも一部が径方向外方に膨出していることを特徴とする請求項１または請求項２に記載の釣竿用ハンドル。
【請求項４】
前記バッテリ保持部を前記ハンドルの前記リール取付部より後方側に設けたことを特徴とする請求項１ないし請求項３のいずれか１に記載の釣竿用ハンドル。
【請求項５】
前記ハンドルの内部に、前記バッテリ保持部が形成する収納空間に連通する中空部を形成し、
前記ハンドルに前記リールからの給電用コードを前記中空部に挿通する挿通孔を設けたことを特徴とする請求項１ないし請求項４のいずれか１に記載の釣竿用ハンドル。
【請求項６】
請求項１ないし請求項５のいずれか１に記載の釣竿用ハンドルの前方側に竿部が取り付けられていることを特徴とする釣竿。
【請求項７】
請求項６に記載の釣竿のリール取付部に電動リールが取り付けられていることを特徴とする釣装置。
【発明の詳細な説明】
【技術分野】
【０００１】
この発明は、魚釣用電動リールとともに用いられることが好適な釣竿用ハンドル、釣竿及び釣装置に関する。
【背景技術】
【０００２】
従来から釣竿に魚釣用電動リールを取り付けて魚釣りが行われている。このように電動リールを用いて行われる魚釣りは、釣竿に電動リールを取り付け、足下に置いたバッテリから電動リールにコードを接続して給電している。したがって、掛かった魚が釣船の周りを回った場合でも釣り人はコードを張った状態でコードの長さ以上に移動することが出来ないため、その場所から動かずに魚を引き寄せる必要がある。また、魚が掛からない場合でも、コードを引きずりながら釣竿用ハンドルを保持していなければならない。
【０００３】
特許文献１には、釣竿のハンドルのリールシートに魚釣用電動リールを取り付け、このように取り付けた魚釣用電動リールの給電コードをハンドル内に収容したバッテリに接続して魚釣用電動リールに給電できるようにした釣竿が紹介されている。  
また、特許文献２には、魚釣用電動リールの給電コードを釣竿のハンドルの外周に取り付けられたバッテリに接続して魚釣用電動リールに給電できるようにした釣竿が紹介されている。
【先行技術文献】
【特許文献】
【０００４】
【特許文献１】特開２００５−３１２３６９号公報
【特許文献２】実開平５−７４２７０号公報
【発明の概要】
【発明が解決しようとする課題】
【０００５】
特許文献１に開示された釣竿はバッテリと過充電・過放電機能を有する保護回路とがパッケージ内に収容されて一体化されたバッテリパックが用いられる。この釣竿は、バッテリパックを筒状のハンドルの後端に配設されたキャップを取り外してハンドルの後端からリールシートの近傍に向けて入れる構造を有する。しかし、キャップを取り外してバッテリパックの交換を行うため、バッテリパックの装着とその電気的接続がし難い。
【０００６】
特許文献２に開示された釣竿はハンドルの外周に取り付けられたバッテリが用いられている。しかし、バッテリの重心位置が釣竿の中心軸から離れているため、釣竿のバランスが悪くなり、釣り人が釣りの最中に釣竿を保持しにくくなる。また、バッテリはある程度の重量を有するため、ハンドルの外周にバッテリをしっかりと保持することが難しい。
【０００７】
この発明は、このような課題を解決するためになされたものであり、その目的とするところは、魚釣りの際に電動リールに給電するためのバッテリの取り付けや交換が行い易く、釣りをしている最中もバランスが安定し、バッテリを安定して保持できる釣竿用ハンドルや釣竿を提供することにある。
【課題を解決するための手段】
【０００８】
上記課題を解決するために、魚釣用電動リールが取り付けられるリール取付部を有し、前記電動リールに給電するバッテリを着脱可能な釣竿用ハンドルにあっては、前記ハンドルの先端と後端との間に設けられ前記バッテリを保持するバッテリ保持部と、前記バッテリ保持部に設けられ、前記ハンドルの径方向の周面に開口し、前記バッテリを出し入れするための開口部とを具備することを特徴とする。
【０００９】
また、前記バッテリ保持部は、前記ハンドルの長手方向の中心軸に前記バッテリの少なくとも一部がかかる状態で、前記バッテリを保持することが好ましい。  
また、前記バッテリ保持部は、前記ハンドルのうち前記バッテリ保持部の前後に隣接する部分よりも少なくとも一部が径方向外方に膨出していることが好ましい。  
また、前記バッテリ保持部を前記ハンドルの前記リール取付部より後方側に設けたことが好ましい。  
また、前記ハンドルの内部に前記バッテリ保持部が形成する収納空間に連通する中空部を形成し、前記ハンドルに前記リールからの給電用コードを前記中空部に挿通する挿通孔を設けたことが好ましい。
【発明の効果】
【００１０】
ハンドルの後端より前方側にバッテリ保持部が設けられているので、ハンドルでバッテリを容易に保持でき、また、ハンドルの外周でない部分（内側）にバッテリを保持することができるので、ハンドルのバランスが安定する。また、バッテリ保持部にハンドルの長手方向に対して外れる方向に開口した開口部を設けることにより、開口部からバッテリのバッテリ保持部への保持、及び、バッテリ保持部からの取り外しを容易に行うことができる。
【００１１】
バッテリケース部によるバッテリの保持状態では、ハンドルの長手方向の中心軸にバッテリの少なくとも一部がかかる状態で、バッテリが保持される。このため、ハンドルを把持して釣りを行う際には、バランスが取れた安定した状態で把持可能となり、釣りの操作を行い易くなる。
【００１２】
バッテリ保持部をハンドルのリール取付部よりも後方側に設けることにより、バッテリをハンドルの握持した部分と釣り人の腹の位置との間に位置することができるため、リール取付部の位置を握持してハンドルの後端を腹に当てたときに、釣竿を安定して保持できる。
【００１３】
電動リールに接続された給電コードは挿入孔から中空部に挿通され、バッテリ保持部に保持されるバッテリに接続される。このように、挿入孔及び中空部を設けることにより、給電コードをバッテリ保持部からハンドルの外側に延出させることなく、リールに接続することができる。これにより、釣りの最中に釣り人の手がコードに引っ掛かること等を防止でき、容易に釣竿の操作を行うことができる。
【図面の簡単な説明】
【００１４】
【図１】第１の実施形態に係る魚釣装置である釣竿を示し、（Ａ）は図１（Ｂ）中の矢印１Ａ方向から見た概略的な正面図、（Ｂ）は図１（Ａ）中の矢印１Ｂ方向から見た概略的な平面図。
【図２】第１の実施形態に係る釣竿のハンドルのリール取付部及び後グリップの前端部を示す概略的な縦断面図。
【図３】第１の実施形態に係る釣竿のハンドルの後端部にバッテリを装着した状態を一部断面で示す概略的な部分縦断面図。
【図４】（Ａ）は第１の実施形態に係る釣竿のハンドルの後グリップの後端部のバッテリを装着していない状態を示す概略的な縦断面図、（Ｂ）はバッテリケース部のバッテリを装着した状態を示す概略的な横断面図。
【図５】第２の実施形態に係る釣竿のハンドルの後端部にバッテリを装着した状態を一部断面で示す概略的な正面図。
【図６】第２の実施形態に係る釣竿のハンドルの後端部の、（Ａ）はバッテリを装着していない状態を示す概略的な平面図、（Ｂ）はバッテリを装着した状態を示す概略的な平面図。
【図７】（Ａ）は第３の実施形態に係る釣竿のハンドルの後グリップの後端部のバッテリケース部を連結した状態を示す概略的な縦断面図、（Ｂ）は後グリップの後端部のバッテリケース部を連結していない状態を示す概略的な縦断面図。
【図８】第４の実施形態に係る釣竿のハンドルのバッテリケース部のバッテリを装着した状態を示す概略的な横断面図。
【図９】第５の実施形態に係る釣竿のハンドルを示す概略的な正面図。
【図１０】図９の概略的なＸ−Ｘ線断面図。
【図１１】第６の実施形態に係る釣竿のハンドルのバッテリ保持部のバッテリを装着した状態を示す概略的な横断面図。
【図１２】第７の実施形態に係る釣竿のハンドルを一部断面で示す概略的な正面図。
【図１３】第８の実施形態に係る釣竿のハンドルを一部断面で示す概略的な正面図。
【図１４】第９の実施形態に係る釣竿のハンドルを一部断面で示す概略的な正面図。
【発明を実施するための形態】
【００１５】
（第１の実施形態）  
本発明の第１の実施形態について図１（Ａ）（Ｂ）乃至図４（Ａ）（Ｂ）を参照して説明する。
【００１６】
図１（Ａ）（Ｂ）に示すように、魚釣装置１は、釣竿１０と魚釣用電動リール３０とバッテリ４０とを有する。魚釣装置１を構成する釣竿１０は、竿部１２と、竿部１２の後端に配設され釣り人が把持するハンドル１４とを備えている。図２に示すように、竿部１２の後端の嵌合突起１３ａは、ハンドル１４の後述する芯部材１４ｄの先端の嵌合孔１３ｂに差し込まれて取り付けられている。なお、竿部１２の後端の嵌合突起１３ａはハンドル１４の先端の嵌合孔１３ｂに対して固定（固着）または着脱可能に取り付けられる。
【００１７】
図１（Ａ）（Ｂ）に示すように、竿部１２は、例えば繊維強化樹脂材製の竿桿２２と、竿桿２２に配設された複数の釣糸用ガイド２４とを備えている。なお、本実施形態の釣竿１０の竿部１２は、中通し竿として形成されていることも好適である。また、竿桿２２は、中空構造に限らず、中実構造であってもよい。
【００１８】
図２に示すように、魚釣装置１の魚釣用電動リール３０は、リール本体３２の両側に配置した１対の側板３４間に、スプール軸（図示しない）を介してスプールが回転可能に支持されている。この側板３４で支えられたハンドル軸（図示しない）を介して、このリール３０のハンドル３４ａ（図１（Ｂ）参照）の回転をリール本体３２内に配置された駆動機構に伝達することができる。
【００１９】
通常と同様に、このスプールは、一方の側板３４に設けたハンドル３４ａを介する手動操作で形成される駆動力により、リール本体３２内に配置された公知の駆動機構を介して回転されるか、又は、リール本体３２のスプール前方の側板３４間にモータケースを介して収容された公知のスプール駆動モータにバッテリ４０から給電する電動操作で形成される駆動力により、動力伝達機構を介して回転される。スプールが回転することにより、スプール上に釣糸が巻回される。
【００２０】
電動操作による駆動力で釣糸を巻き取る際は、リール本体３２に通常と同様に取り付けられたスプール駆動モータのモータ出力調節用操作部を操作することにより、リール本体３２に内蔵のマイクロコンピュータを通じてスプール駆動モータの出力を自由に制御（モータ出力の停止や出力の増減調節）することができる。また、この操作部の操作により、マイクロコンピュータを通じて、スプール駆動モータの停止位置から高出力値までスプール駆動モータの出力を調節し、スプールの回転速度、つまり、釣糸の巻き取り速度を制御することができる。
【００２１】
このリール本体３２の上面の前方部位には、通常の電動リールと同様に、制御部３２ａを配置してあり、例えば、釣糸の繰出し量（糸長）、棚位置等の種々の制御機能、制御条件等を表示する液晶表示部３２ｂ（図１（Ｂ）参照）を配置し、更に、棚位置を設定する棚取りボタン、糸長計測値の値をゼロにリセットするリセットボタン、及び、押し込んでいるときにのみスプール駆動モータを駆動させ、解放したときに停止して微妙な巻上操作を可能とする寸動ボタン等の種々のボタン又はスイッチ類３２ｃ（図１（Ｂ）参照）を配置してある。
【００２２】
通常と同様に、リール本体３２には、クラッチ機構（図示しない）も設けられており、このクラッチ機構を通じて、スプール軸に駆動連結するスプール駆動モータ又はハンドル３４ａで形成される駆動力を、スプールに伝達し、又は、スプールから遮断することができる。クラッチ機構によりスプール軸をスプール駆動モータ及びハンドルから分離した状態（スプールフリー状態）では、ハンドルを回転させると、図示しない復帰機構を介して、スプール軸が元の状態（巻取状態）に復帰する。これにより、スプール軸と一体化されているスプールを、スプール駆動モータ又はハンドルが形成する駆動力で回転させることができる。符号３６は、スプールフリー状態におけるスプールの回転に適度な制動力を掛けて過回転を防止する調節ネジを示す。
【００２３】
更に、リール本体３２の下部前方の、ハンドル３４ａから離隔した側の側板３４の下部で、リール本体３２を保持した手と干渉しない位置に、給電部３８を下方に向けて配置してある。給電部３８は、後述する取付脚部３０ａやリール取付部１４ｂのリールシート５２と干渉しない位置に延出されている。この給電部３８はリール本体３２内のスプール駆動モータに外部電力源から給電するものであり、バッテリ４０が電気的に連結される。
【００２４】
このような魚釣用電動リール３０を釣竿１０のハンドル１４に取り付けるため、リール本体３２には釣竿１０のハンドル１４の長手方向に沿って前後に延びる取付脚部３０ａがその下側に配置されている。
【００２５】
釣竿１０の釣竿用ハンドル１４は、前グリップ１４ａと、魚釣用電動リール３０の取付脚部３０ａが着脱可能に取り付けられるリール取付部１４ｂと、後グリップ１４ｃとを備えている。これら前グリップ１４ａ、リール取付部１４ｂ及び後グリップ１４ｃは、例えば筒状に形成され、これらの内部に芯部材１４ｄが配設されている。上述したように、竿部１２の竿桿２２の基端は、芯部材１４ｄの先端部に配設されている。芯部材１４ｄは、前グリップ１４ａ及びリール取付部１４ｂの内部の全体に配設されているのに対して、後グリップ１４ｃではその先端部のみに配設されている。
【００２６】
釣竿１０の釣竿用ハンドル１４のリール取付部１４ｂは、魚釣用電動リール３０の取付脚部３０ａを介して魚釣用電動リール３０を取り付けるためのいわゆる筒状のリールシート５２からなっている。リール取付部１４ｂには、取付脚部３０ａが載置される取付脚部載置面５２ａの後方に例えば一体的に形成され、取付脚部３０ａの後端部を受け入れる固定フード５４ａが配置されている。また、リール取付部１４ｂは取付脚部載置面５２ａの前方に移動フード５４ｂが配設され、この移動フード５４ｂの前端にナット（移動フード５４ｂの操作部であるネジリング）５６が配設されている。ナット５６はリールシート５２に形成されたネジ部５２ｂに回転可能に螺合されている。このため、ナット５６を回転させると、移動フード５４ｂを釣竿用ハンドル１４の長手方向に沿って前後動させて取付脚部３０ａの前端部を受け入れることができる。
【００２７】
したがって、ナット５６を回転させつつ移動フード５４ｂを魚釣用電動リール３０の取付脚部３０ａの先端部を移動フード５４ｂ内に収容して後方に押し込み移動させると、魚釣用電動リール３０の取付脚部３０ａは、固定フード５４ａ及び移動フード５４ｂ間で挟持されつつ取付脚部載置面５２ａ上に押圧される。これにより、魚釣用電動リール３０は、その取付脚部３０ａがリール取付部１４ｂの上面の取付脚部載置面５２ａの上に載せられてリール取付部１４ｂに取り付けられる。ナット５６を逆に回転させて移動フード５４ｂを前方に移動させることにより、釣竿１０のリール取付部１４ｂ（リールシート５２）から魚釣用電動リール３０を取り外すことができる。
【００２８】
本実施形態では、このように釣竿１０に取り付けられる魚釣用電動リール３０にコード６０を介して接続される魚釣装置１のバッテリ４０は、例えばリチウムイオン電池等により携帯可能な小型かつ軽量に形成されている。このバッテリ４０は充電により再使用可能である。
【００２９】
図３に示すように、このバッテリ４０は、外部を樹脂製の外装部材すなわちボディ４２で覆った密閉構造を有する。ボディ４２の先端側には、魚釣用電動リール３０の給電部３８に対して給電用のコード６０を介して電気的に接続される接続部４４が突出した状態に配置されている。ボディ４２は、例えば円形状や略矩形状等滑らかな外周面を有することが好ましい略柱状に形成され、その接続部４４に近接する側は肩部４６としてボディ４２に一体的に形成されている。肩部４６は、略円錐台状を有し、接続部４４側に向けて先細り状になる傾斜面を有している。
【００３０】
コード６０は、その一端にリール用コネクタ６２を備え、その他端にバッテリ用コネクタ６４を備えている。なお、ここでは、リール用コネクタ６２は図２に示すように、コード６０及びリール用コネクタ６２の軸方向が給電部３８に対して真っ直ぐのストレートタイプのものが用いられる場合について説明するが、コード６０とリール用コネクタ６２との軸方向が異なる、例えばＬ型タイプ（図示しない）などが用いられてもよい。
【００３１】
図３に示すように、この実施形態に係る後グリップ１４ｃは、例えば金属や合成樹脂（繊維強化樹脂を含む）などの硬質材料で筒状に形成され、内部にコード６０を挿通させる中空状の挿通部（中空部）Ｓを有するグリップ本体７２を備えている。  
図２に一例を示すように、グリップ本体７２の先端側には、後グリップ１４ｃのグリップ本体７２（リール取付部１４ｂよりも後方）の外周よりも内側に凹んだ凹部７４が形成されている。この凹部７４には、長孔の挿通孔７４ａと傾斜面７４ｂとが形成されている。凹部７４の長孔の挿通孔７４ａは、挿通部（中空部）Ｓに通じていて、この挿通部Ｓはハンドル１４のグリップ本体７２の少なくとも挿通孔７４ａから後述するバッテリ収納部Ｔまで延設されている。
【００３２】
図２中の挿通孔７４ａは、ハンドル１４の中心軸（ハンドル１４の長手方向軸）Ｃに近接する挿通孔７４ａの前後方向の長さが挿通孔７４ａの前後方向に交差する方向（ハンドル１４の中心軸Ｃに直交する方向）に対して長い。この挿通孔７４ａの縁部のうち、ハンドル１４に対して前方側よりも後方側の方がハンドル１４の中心軸Ｃに対して離れた位置（外側）にある。挿通孔７４ａは、その縁部が先端側から後端側に向かってハンドル１４の中心軸Ｃから離れるように変移している。そして、挿通孔７４ａの縁部うち、ハンドル１４の後端側の縁部は後グリップ１４ｃの外周にあるのに対し、前端側の縁部は後グリップ１４ｃの外周よりも内側にある。すなわち、挿通孔７４ａには、ハンドル１４の外側面が中心軸Ｃから外方へ離れる方向に変移する変移部７５が形成され、この変移部７５に挿通孔７４ａが形成されている。
【００３３】
ここで、凹部７４の挿通孔７４ａの長孔の前側の縁部と後側の縁部とを結ぶ線分を延長した線を長手方向軸Ｌとする。挿通孔７４ａの前側の縁部および後側の縁部以外の縁部は、長手方向軸Ｌよりも中心軸Ｃ側にある。すなわち、挿通孔７４ａは、凹んだ形状に形成されている。
【００３４】
この挿通孔７４ａの長孔の長手方向軸Ｌは、例えば、凹部７４が形成された位置よりもハンドル１４の前方でハンドル１４の中心軸Ｃと交差する。すなわち、図２中に示すように、挿通孔７４ａの前後方向に沿った線（長手方向軸）Ｌは、凹部７４が形成された位置よりも前方でハンドル１４の中心軸Ｃに交差する。なお、挿通孔７４ａの前後方向に沿った線Ｌとハンドル１４の中心軸Ｃとが交差する位置は、挿通孔７４ａが形成された位置よりも前グリップ１４ａ側の適宜の位置に設定可能である。その交差位置によって、挿通孔７４ａの長孔の形状が変化する。挿通孔７４ａは変移部７５に形成することで中心軸Ｃに直交する方向よりも前方を向いて開口する。
【００３５】
挿通孔７４ａは、ハンドル１４の前端側の幅が狭く、後端側の幅が前端側よりも広く形成されている。挿通孔７４ａの後端は、円弧状に形成されている。
【００３６】
挿通孔７４ａの大きさは、コード６０のリール用コネクタ６２及びバッテリ用コネクタ６４のいずれか一方または両方を通すことが可能な大きさに形成されている。このため、コード６０は後グリップ１４ｃに対して着脱（挿脱）可能である。本実施形態では、挿通孔７４ａには、図２に示すリール用コネクタ６２を通すことが可能である。すなわち、ここでは、挿通孔７４ａの幅（リール用コネクタ６２を通すことができる幅）を維持しつつ、挿通孔７４ａの前後方向の長さを変化させることができる。このため、リール用コネクタ６２およびこのコネクタ６２に接続されたコード６０をハンドル１４の内部の挿通部Ｓに挿通させる際の傾斜角度を設定することができる。
【００３７】
傾斜面７４ｂは、コード６０に大きな力が加えられることを防止した状態でグリップ本体７２の内部の挿通部Ｓに案内するのに用いられる。
【００３８】
このような挿通孔７４ａを形成することにより、ハンドル１４の中心軸Ｃ（長手方向）に対して直交する方向の挿通孔よりもハンドル１４の長手方向に平行な状態に近接するように挿通孔を形成できる。このため、コード６０を急に折り曲げずに中心軸Ｃの方向に近づけた状態で挿通し、また、挿脱する際に屈曲等させずにスムーズに挿脱させることができる。
【００３９】
なお、この実施形態では、挿通孔７４ａを有する凹部７４がグリップ本体７２の外周面に対して内側に凹んだ状態に形成した例について説明したが、挿通孔７４ａがグリップ本体７２に対して外側に突出して形成されていてもよい。  
また、挿通孔７４ａの位置は、後グリップ１４ｃのグリップ本体７２のいずれの位置であってもよく、また、リール取付部１４ｂにあってもよい。
【００４０】
図３及び図４（Ａ）（Ｂ）に示すように、グリップ本体７２の後方側には、バッテリケース部８０と、このバッテリケース部８０の後方側に配設された柱状部９０とがグリップ本体７２と一体に形成されている。なお、これらグリップ本体７２、バッテリケース部８０および柱状部９０は例えば金属等の硬質部材により形成されている。
【００４１】
図４（Ａ）に示すように、柱状部９０はグリップ本体７２の外径と略同一の外径を有する。柱状部９０の後端部には、径方向外側に突出した突出部（腹当取付部）９０ａが例えば一体的に形成されている。柱状部９０の突出部９０ａにはゴム材や樹脂材製等で適度な柔軟性を有する材料で形成され、少なくともハンドル１４の後方側を向いた（釣り人の腹に向いた）当接面を有し、略傘状に形成され、突出部９０ａやグリップ本体７２等のハンドル１４においてその前方側の部位より大径に形成された腹当９２が着脱可能に取り付けられる。腹当９２には例えば環状の溝部９２ａが設けられ、溝部９２ａが柱状部９０の突出部９０ａに係合（嵌合）することにより、腹当９２が柱状部９０に取り付けられ、ハンドル１４の後端に配設される。釣りの最中に釣り人は、腹当９２の後端を腹に当てて釣竿１０を保持する。  
なお、腹当９２は必ずしもハンドル１４においてその前方側の部位より大径に形成する必要はなく、この場合、柱状部９０（ハンドル１４）の後端が腹当に該当し、釣り人はこの部分を腹に当てて釣竿１０を保持する。このため、柱状部９０の後端部はハンドル１４の後方側を向いた当接面を有し、その周縁が面取り等された構造を有することが好ましい。また、腹当９２を柱状部９０に取り付ける取付手段としては、係合（嵌合）だけでなく、螺合等、種々の手段が許容される。  
腹当９２は、後述するバッテリケース部８０よりもハンドル１４の後方側に設けられるが、柱状部９０を有していなくてもよく、バッテリケース部８０のすぐ後方に設けてもよい。
【００４２】
グリップ本体７２と柱状部９０との間に形成されたバッテリ４０の保持部であるバッテリケース部（バッテリ保持部）８０はバッテリケース部８０の前側に隣接するグリップ本体７２や後側に隣接する柱状部９０に対して大径、かつ、径方向外方に膨出した容器状又はラック状(籠状)に形成され、ハンドル１４の長手方向（中心軸Ｃ）に対して外れる方向（ここでは垂直な方向）（図３及び図４（Ｂ）中では上方向）のハンドル１４の周面に開口した開口部８０ａが形成され、開口部８０ａ以外の周囲には壁状の保持体が形成されている。すなわち、バッテリケース部８０は略ハーフパイプ形状を有する。開口部８０ａがハンドル１４の周面側（径方向）に形成される状態では、ハンドル１４の外周側から開口部８０ａを通して、バッテリ４０をバッテリケース部８０に保持される状態に配置可能となる。開口部８０ａは図１（Ａ）（Ｂ）に示すようにリールシート５２のリール脚取付部５２ａが配設された側に形成されていることが好ましい。これは、釣り人が釣竿１０を保持して魚釣りをする際、電動リール３０を上側にして釣竿１０を保持することが殆どであり、バッテリ４０が開口部８０ａから落下しそうになるのを防止するためである。
【００４３】
グリップ本体７２や柱状部９０に対して径方向外方に膨出したバッテリケース部（膨出部）８０は、グリップ本体７２に連続的に形成された拡径部８２と、この拡径部８２の後端側に形成された大径部８４と、この大径部８４の後端側に形成された縮径部８６とを備えている。  
拡径部８２はグリップ本体７２の後端の内径よりも外径が大きいバッテリ４０を開口部８０ａから出し入れするために次第に拡径されている。拡径部８２は、バッテリ４０の肩部４６と略同一の傾斜を有し、後端側ほど径が大きく形成されている。  
大径部８４はグリップ本体７２よりも大径で、開口部８０ａの存在を考慮せずに円筒状としたときに拡径部８２の後端と同一径に形成されている。この大径部８４は前端から後端まで同一の径を有する。  
縮径部８６は大径部８４の後端から後方に向かうにつれて縮径している。縮径部８６の後端の径はグリップ本体７２の径と略同一である。  
このとき、拡径部８２、大径部８４および縮径部８６の中心軸は、図１（Ａ）（Ｂ）に示すようにグリップ本体７２及び柱状部９０の中心軸Ｃと一致することが好ましい。なお、本実施形態ではバッテリケース部８０は拡径部８２、大径部８４及び縮径部８６から形成されているが、例えばバッテリ４０は種々の形状を有するものがあるので、バッテリケース部８０の形状を適宜の形状にしてもよい。したがって、バッテリケース部（バッテリ保持部）８０によるバッテリ４０の保持状態は、バッテリ４０が後述するバッテリ収納部Ｔに収納されていればよく、例えばバッテリ４０の一部がバッテリケース部８０から外方にはみ出した状態で保持されていてもよい。
【００４４】
バッテリケース部８０の大径部８４及び縮径部８６の内周面には、バッテリ４０のボディ４２を載置したときに好ましくは拘束した状態に保持するためのバッテリ保持体８８が取り付けられている。このバッテリ保持体８８は、バッテリケース部８０の大径部８４から縮径部８６まで延設されている。
【００４５】
バッテリ保持体８８は、図４（Ｂ）に示すようにバッテリ４０の円柱状のボディ４２の外周を保持する例えば略Ｕ字状（ここでは略半円状）の断面を示す部分（以下、凹状部という）８８ａと、図３に示すようにバッテリ４０のボディ４２の底部を受ける部分（以下、底部という）８８ｂとを一体的に有する。なお、この実施形態では、凹状部８８ａは略半円状の断面に形成されるが、バッテリ４０のボディ４２に対応する形状に形成されていればよく、例えば略Ｃ字状のＣ字状筒部のようなものも含まれる。
【００４６】
凹状部８８ａの外周面はバッテリケース部８０の大径部８４の内周面に配置され、底部８８ｂはバッテリケース部８０の縮径部８６の内周面から柱状部９０の先端にかけて配置されている。すなわち、この実施形態では、バッテリ保持体８８の凹状部８８ａおよび底部８８ｂによって、バッテリ４０を着脱可能に固定した状態に配置するための略円柱状の収納空間であるバッテリ収納部Ｔを形成している。そして、凹状部８８ａの先端は開口部７２ｂにて開口されているので、グリップ本体７２の後端で挿通部（中空部）Ｓと連通している。バッテリ４０をバッテリ収納部Ｔに配置した際には、バッテリ４０の中心軸（バッテリ４０の長手方向軸）はハンドル１４の中心軸Ｃと略一致する。このため、バッテリケース部８０の前端側に形成される開口部７２ｂからバッテリ４０の接続部４４側が挿通部（中空部）Ｓに差し込まれた状態で、バッテリ４０を収納することができる。
【００４７】
バッテリ保持体８８は、バッテリ４０のボディ４２の外周面及び後端面（底面）の一部に当接してバッテリ４０を載置や狭持等して移動を規制するように保持し、バッテリ４０のボディ４２の外周面及び後端面の一部に当接する際に適度な摩擦力を発揮するように例えば樹脂材やゴム材等、弾性変形可能な素材で形成されている。軽量化や、バッテリ４０に対するクッション性を考慮すると、例えばやや硬質のスポンジや発泡スチロール等が用いられることが好ましい。  
また、バッテリ保持体８８はバッテリケース部８０に対して基本的には固定状態にあるが、使用による摩擦等により小さくなってきたときに交換可能であることが好ましい。交換可能である場合、異なる形状のバッテリ４０であっても形状に合わせてバッテリ保持体８８を選択配置することにより同じハンドル１４を用いることができる。なお、バッテリケース部８０によるバッテリ４０の保持状態では、ハンドル１４の長手方向の中心軸Ｃにバッテリ４０の少なくとも一部がかかる状態で、バッテリ４０が保持される。このため、ハンドル１４を把持して釣りを行う際には、バランスが取れた安定した状態で把持可能となり、釣りの操作を行い易くなる。また、この場合の中でもこの実施形態の図４（Ｂ）に示すようにバッテリ４０の中心軸がハンドル１４の中心軸Ｃと一致する状態でバッテリ４０が保持される場合には、釣りを行う際にさらに安定してハンドル１４を把持することができる。
【００４８】
ここで、バッテリケース部８０のバッテリ収納部Ｔに対するバッテリ４０の着脱について説明する。まず、装着する場合について説明する。  
給電用コード６０は、リール用コネクタ６２が電動リール３０の給電部３８に接続され、バッテリ用コネクタ６４がグリップ本体７２の挿通孔７４ａを通して挿通部（中空部）Ｓに挿通される。そして、コード６０のバッテリ用コネクタ６４を開口部７２ｂから引き出し、バッテリ収納部Ｔに収容されるバッテリ４０の接続部４４に接続する。  
グリップ本体７２に挿通孔７４ａ及び挿通部（中空部）Ｓを設けることにより、コード６０をグリップ本体７２の外側に極力延出させることなく、電動リール３０の給電部３８にリール用コネクタ６２を接続し、バッテリ４０の接続部４４にバッテリ用コネクタ６４を接続することができる。
【００４９】
そして、コード６０の余分な部分をグリップ本体７２の挿通部Ｓに戻しながら、バッテリ４０の上部の接続部４４やこれに接続したバッテリ用コネクタ６４を開口部７２ｂから挿通部Ｓに差し込んで移動を規制して、バッテリ４０をハンドル１４の外周側から開口部８０ａを介してバッテリ収納部Ｔに収納して載置する。  
そして、釣竿１０に電動リールを装着し、バッテリ４０とコード６０にて接続することで魚釣装置１として釣りを行うことができ、このとき、バッテリ４０の中心軸とハンドル１４（釣竿１０）の中心軸Ｃとは略一致する。このため、釣り人が釣りの最中に釣竿１０のバランスが安定した状態で釣りをすることができ、バッテリ４０をしっかりと保持することができる。  
これにより、バッテリ４０をバッテリケース部８０により容易に保持でき、釣りの最中に釣り人の手がコード６０に引っ掛かること等を防止でき、容易に釣竿１０の操作を行うことができる。
【００５０】
一方、バッテリ４０をバッテリケース部８０から取り外す際には、例えばバッテリ４０のボディ４２を手で保持して開口部８０ａに向かってハンドル１４の外周側へバッテリ収納部Ｔから取り外す。そして、コード６０のバッテリ用コネクタ６４とバッテリ４０の接続部４４とを取り外す。
【００５１】
以上説明したように、後グリップ１４ｃのバッテリケース部８０の内側にバッテリ収納部Ｔが設けられているため、バッテリ４０を容易に収納することができ、かつ、魚釣りの最中にハンドル１４に安定してバッテリ４０を保持することができる。そして、バッテリケース部８０にハンドル１４の長手方向に対して垂直な方向に開口した開口部８０ａを設けることにより、開口部８０ａからバッテリ４０のバッテリ収納部Ｔへの収納、及び、バッテリ収納部Ｔからの取り外しを容易に行うことができる。すなわち、バッテリ４０をハンドル１４の周面側の開口８０ａから容易に着脱することができる。
【００５２】
また、バッテリ４０をハンドル１４の後端側に配置したので、釣竿１０の重心位置を釣竿１０の後端側に移動させることができる。すなわち、釣竿１０の重心を、電動リール３０とハンドル１４の後端側とに分けて配し、重量を分散させてバランスを良くできるので、釣竿１０の操作も容易に行うことができる。
【００５３】
さらに、バッテリ４０をグリップ本体７２及び／又は柱状部９０の中心軸Ｃ上に配置したので、バランスが良く、釣り人が釣りの最中にバッテリ４０が極力邪魔にならない状態で釣りをすることができる。
【００５４】
また、コード６０を凹部７４を通して挿通部Ｓに挿通することとしたので、釣り人がハンドル１４を把持する際にコード６０が邪魔になり難く、良好な握持性、操作性を持つことができる。
【００５５】
なお、バッテリ４０のボディ４２はバッテリ保持体８８に載置される他、よりバッテリ４０を拘束するために、例えばバッテリ４０のボディ４２に設けられる凹部にバッテリケース部８０に設けられる凸部が係合することにより、又は、ばね等の弾性力によりバッテリ４０を保持してもよい。そうすると、ハンドル１４を動かしたり釣竿１０を振ったりしたときなどにおいても、バッテリ４０のガタツキを防止することができる。
【００５６】
なお、本実施形態では後グリップ１４ｃのグリップ本体７２の後方側のハンドル１４の後端部にバッテリ収納部Ｔが設けられているが、後グリップ１４ｃを竿掛けに装着することがあるため、必要に応じてリール取付部１４ｂに近い後グリップ１４ｃの中間位置や前方側に設けることも可能で、バッテリ収納部Ｔがハンドル１４の後端より前方側に設けられる構成であればよい。バッテリ収納部Ｔは、リール取付部１４ｂよりも前方側の前グリップ１４ａに設けられてもよいが、ハンドル１４のリール取付部１４ｂの後方側の後グリップ１４ｃに設けられることがより好ましい。釣り人は釣りの最中に腹当９２の後端の当接面を腹に当てて、ハンドル１４のリール取付部１４ｂを把持して操作を行う。後グリップ１４ｃにバッテリ収納部Ｔを設けることにより、釣り人が手で把持する部分と腹で保持する部分との間にバッテリ４０が配置されるため、釣り人は釣竿１０を安定した状態で保持することができる。  
なお、上述した実施形態よりも重量は重くなるが、電動リール３０の給電部３８に直接バッテリ４０を取り付け、バッテリケース部８０に配設するのを予備バッテリとすることも好適である。そうすると、電動リール３０の給電部３８に直接取り付けたバッテリ４０の電圧が低下した場合であっても、直ぐにバッテリ交換することができる。
【００５７】
（第２の実施形態）  
次に、第２の実施形態について図５及び図６（Ａ）（Ｂ）を用いて説明する。この実施形態は第１の実施形態の変形例である。この実施形態は、ハンドル１４の後グリップ１４ｃのグリップ本体７２とは構成が異なる。
【００５８】
図５に示すように、グリップ本体７２は、第１の実施形態と同様に硬質材料で筒状に形成され、内部に中空部Ｓを有する。図６（Ａ）に示すように、グリップ本体７２の周壁には後端から長手方向に沿って溝部１０４が形成されている。この溝部１０４は、取付脚部載置面５２ａが配設された側に形成されていることが好ましい。この場合、溝部１０４はバッテリケース部８０の開口８０ａに連続する。なお、溝部１０４はハンドル１４のグリップ本体７２の周面に設けられていればよく、例えば半周程度のズレは当然に許容される。  
この場合、図６（Ｂ）に示すように、バッテリ４０の接続部４４に接続されたコード６０は、中空部Ｓを通ることなく、溝部１０４からグリップ本体７２の外側に延出され、リール用コネクタ６２に接続される。この場合、コード６０がグリップ本体７２の外側に延出されるため、釣りの最中に釣り人の手がコード６０に触れること等があるが、コード６０をグリップ本体７２の内部の中空部Ｓに挿通する作業を省略することができる。また、第１の実施形態と同様に、バッテリケース部（バッテリ保持部）８０でバッテリ４０を容易に保持することができる。
【００５９】
（第３の実施形態）  
次に、第３の実施形態について図７（Ａ）（Ｂ）を用いて説明する。この実施形態は第１及び第２の実施形態の変形例である。この実施形態は、ハンドル１４の後グリップ１４ｃの構成が異なる。
【００６０】
図７（Ａ）に示すように、後グリップ１４ｃはグリップ本体７２、バッテリケース部（バッテリ保持部）８０及び柱状部９０がそれぞれ別個に形成され、互いに着脱可能に取り付けられている。グリップ本体７２の後端部の外周面には、雄ネジ部７２ａが形成されている。バッテリケース部８０は、拡径部８２の前端から前方に延設される前側円筒部９４を備える。この前側円筒部９４の内周面には、雌ネジ部９４ａが形成されている。この雌ネジ部９４ａがグリップ本体７２の雄ネジ部７２ａに螺合することにより、バッテリケース部８０がグリップ本体７２に着脱可能に連結される。また、バッテリケース部８０は、縮径部８６の後端から後方に延設される後側円筒部９６を備える。この後側円筒部９６の外周面には、雄ネジ部９６ａが形成されている。また、柱状部９０の前端部は筒状に形成され、柱状部９０の前端部の内周面には雌ネジ部９０ｂが形成されている。この雌ネジ部９０ｂがバッテリケース部８０の円筒部９６の雄ネジ部９６ａと螺合することにより、バッテリケース部８０に柱状部９０が連結される。
【００６１】
また、図７（Ｂ）に示すように、グリップ本体７２の雄ネジ部７２ａは柱状部９０の雌ネジ部９０ｂとも螺合可能となっている。雄ネジ部７２ａが雌ネジ部９０ｂと螺合することにより、グリップ本体７２に柱状部９０が連結される。
【００６２】
釣り人の使用用途によっては、バッテリ４０を必要としない場合がある。この場合、バッテリケース部８０をグリップ本体７２及び柱状部９０から取り外し、図７（Ｂ）に示すように柱状部９０をグリップ本体７２に連結して、釣竿１０を使用する。一方、バッテリ４０が必要な場合は、図７（Ａ）に示すようにバッテリケース部８０をグリップ本体７２と柱状部９０との間に連結して釣竿１０を使用する。すなわち、バッテリケース部８０をグリップ本体７２及び柱状部９０に容易に着脱可能なため、釣り人の使用用途に応じて釣竿１０の使用態様を使い分けることができる。
【００６３】
また、図７（Ａ）に示すように、バッテリケース部８０及びバッテリ４０には、例えば面ファスナ、パイルアンドフック、テープ等の帯状体１００が巻かれている。帯状体１００を巻くことにより、バッテリ４０はバッテリ収納部Ｔでより強固に保持される。このため、ハンドル１４を動かしたり釣竿１０を振ったりしたときなどにおいても、より確実にバッテリ４０のガタツキを防止することができる。  
なお、帯状体１００の代わりにバッテリケース部８０の開口部８０ａを塞ぐ蓋等を設け、蓋によりバッテリ４０をバッテリ収納部Ｔに保持してもよい。すなわち、バッテリケース部８０の開口部８０ａには、バッテリ４０の落下やバッテリ４０が水に触れるのを極力防止するため、ヒンジ状又は着脱可能に蓋が装着されていることも好適である。蓋が着脱可能である場合、蓋の水面への落下を防止するために紐等によりバッテリケース部８０の開口部８０ａの近傍と蓋とが接続されていることが好ましい。蓋には、バッテリ収納部Ｔと同様な素材のバッテリ保持体が貼り付け等されていることが好ましい。
【００６４】
（第４の実施形態）  
次に、第４の実施形態について図８を用いて説明する。この実施形態は第１の実施形態の変形例である。この実施形態は、ハンドル１４の後グリップ１４ｃのバッテリケース部８０及びバッテリケース部８０に取り付けられるバッテリ保持体８８の構成が異なる。
【００６５】
図８に示すように、バッテリケース部（バッテリ保持部）８０及びバッテリ保持体８８には、バッテリケース部８０及びバッテリ保持体８８をハンドル１４の径方向に貫通する複数の貫通孔８９が形成されている。バッテリケース部８０がラック状に形成される構成では、バッテリ収納部Ｔには水等が溜まり易くなっている。そこで、バッテリ保持体８８の凹状部８８ａに複数の貫通孔８９を設けることにより、バッテリ収納部Ｔに溜まった水等を貫通孔８９から排出している。これにより、バッテリ４０及びバッテリ保持体８８の劣化などを防止することができる。
【００６６】
また、バッテリケース部８０は、バッテリ保持体８８がバッテリ４０のボディ４２によって外方に向かって押圧されて変形したとしても極力その形状を維持できる金属等で形成されるため、その重量が大きくなってしまう。そこで、複数の貫通孔８９を設けることにより、バッテリケース部８０の軽量化を図ることができる。
【００６７】
なお、本実施形態ではバッテリケース部８０及びバッテリ保持体８８を貫通する貫通孔８９を設けているが、バッテリケース部８０及びバッテリ保持体８８をメッシュ状に形成したり、フレーム状の保持体で形成したりする構成でもよい。
【００６８】
（第５の実施形態）  
次に、第５の実施形態について図９及び図１０を用いて説明する。この実施形態は第１の実施形態の変形例である。この実施形態は、ハンドル１４の後グリップ１４ｃの構成が異なる。
【００６９】
図９及び図１０に示すように、後グリップ１４ｃには、第１の実施形態のバッテリケース部８０の代わりにバッテリ保持部１１０が設けられている。バッテリ保持部１１０は、第１の実施形態で説明したバッテリケース部８０の大径部８４及び縮径部８６、並びに、バッテリ保持体８８の代わりに、ハンドル１４の長手方向に延設される３つのフレーム１１１ａ，１１１ｂ，１１１ｃを備える。フレーム１１１ａ，１１１ｂ，１１１ｃはバッテリ４０の形状に合わせて形成されている。すなわち、フレーム１１１ａ，１１１ｂ，１１１ｃは例えば第１の実施形態で説明したバッテリケース部８０の肉部の一部を除去した状態に形成されている。
【００７０】
そして、給電時には、図１０に示すようにバッテリ４０の中心軸がハンドル１４の中心軸Ｃと略一致する状態で、バッテリ４０がフレーム１１１ａ，１１１ｂ，１１１ｃにより保持されている。フレーム１１１ａ，１１１ｂ，１１１ｃで囲まれた領域がバッテリ４０の収納空間となり、この空間をハンドル１４の中心軸が通っている。なお、バッテリ４０は、バッテリ４０の中心軸がハンドル１４の中心軸Ｃと略一致する状態で保持される必要はなく、ハンドル１４の長手方向の中心軸Ｃにバッテリ４０の少なくとも一部がかかる状態で、バッテリ４０が保持されていればよい。
【００７１】
３つのフレーム１１１ａ，１１１ｂ，１１１ｃは、ハンドル１４の周方向について互いに離間して配置され、ハンドル１４の径方向外方に膨出するように湾曲している。３つのフレーム１１１ａ，１１１ｂ，１１１ｃの中の１つである第１のフレーム１１１ａは、ハンドル１４の周方向についてリール３０が配置される取付脚部載置面５２ａに対して略１８０°離れた位置に配置されている。第２のフレーム１１１ｂはハンドル１４の周方向について第１のフレーム１１１ａに対して略９０°離れた位置に配置され、第３のフレーム１１１ｃはハンドル１４の周方向について第１のフレーム１１１ａに対して第２のフレームと反対側に略９０°離れた位置に配置されている。すなわち、第２のフレーム１１１ｂと第３のフレーム１１１ｃは、ハンドル１４の周方向について互いに略１８０°離れた位置に配置され、第２のフレーム１１１ｂと第３のフレーム１１１ｃとの間には開口部１１２が形成されている。給電時には、バッテリ４０をハンドル１４の外周側から開口部１１２を介して、バッテリ保持部１１０の内側に形成されるバッテリ収納部Ｔに収納する。なお、バッテリ４０の収納時には、バッテリ４０がバッテリ収納部Ｔに収納されていればよく、例えばバッテリ４０の一部がバッテリ保持部１１０から外方にはみ出した状態で保持されてもよい。  
また、給電時にバッテリ４０を保持するバッテリ保持部１１０は、３つのフレーム１１１ａ，１１１ｂ，１１１ｃから形成されているが、複数のフレームから形成され、かつ、少なくともあるフレームと別のフレームとの間にバッテリ４０を外周側からバッテリ収納部Ｔに収納する入口である開口部１１２が形成される構成であればよい。
【００７２】
図９に示すように、バッテリ保持部１１０とリール取付部１４ｂとの間には、略円筒状のグリップ本体１１５が設けられている。リール取付部１４ｂのすぐ後方側にグリップ本体１１５を設けることにより、釣り人がリール３０の操作を行う際に、リール３０の操作を行う手と逆の手でグリップ本体１１５を把持し易くなっている。また、グリップ本体１１５に、釣竿１０を竿掛に取り付けるための取り付けるためのロッドクランプ等の取付手段を装着し易い構成となっている。
【００７３】
図９に示すように、バッテリ保持部１１０と腹当９２との間には、円筒部１１６が設けられている。ハンドル１４の長手方向について円筒部１１６の寸法は、第１の実施形態のバッテリケース部８０と腹当９２との間のハンドル１４の長手方向の寸法（ハンドル１４の長手方向についての柱状部９０の寸法）より大きくなっている。このような構成にすることにより、釣り人はグリップ本体１１５を把持した状態で、円筒部１１６を腋の下挟むことが可能となるため、釣りを行う際に釣り人が釣竿１０を保持し易くなっている。
【００７４】
（第６の実施形態）  
次に、第６の実施形態について図１１を用いて説明する。この実施形態は第５の実施形態の変形例である。この実施形態は、後グリップ１４ｃのバッテリ保持部１１０及びバッテリ４０の構成が異なる。
【００７５】
図１１に示すように、バッテリ保持部１１０は、ハンドル１４の長手方向に延設される２つの第１及び第２のフレーム１２１ａ，１２１ｂを備える。第１及び第２のフレーム１２１ａ，２１ｂは、ハンドル１４の周方向について互いに略１８０°離れて配置されている。第１のフレーム１２１ａが図１１中で上側（リール３０が配置される側）に設けられ、第２のフレーム１２１ｂが図１１中で下側（リール３０が配置される側と反対側）に設けられている。第１のフレーム１２１ａと第２のフレーム１２１ｂとの間には、２つの開口部１２２ａ，１２２ｂが形成されている。給電時には、バッテリ４０をハンドル１４の外周側から２つの開口部１２２ａ，１２２ｂのいずれか一方を介して、バッテリ保持部１１０の内側に形成されるバッテリ収納部Ｔに収納する。すなわち、ハンドル１４の周壁の左右両側に、バッテリ４０をバッテリ収納部Ｔに収納するための開口部１２２ａ，１２２ｂが設けられている。
【００７６】
図１１に示すように、第１のフレーム１２１ａの内側には、凸部１２３が設けられている。また、バッテリ４０の外周面には凹部１２５が設けられている。バッテリ４０のバッテリ保持部１１０による保持状態では、バッテリ４０の凹部１２５が第１のフレーム１２１ａの凸部１２３と係合している。第２のフレーム１２１ｂの内側には、バッテリ４０の外周面に対応した形状の凹部１２６が設けられている。バッテリ４０のバッテリ保持部１１０による保持状態では、バッテリ４０は下側から第２のフレーム１２１ｂにより保持されている。以上のように、バッテリ４０は第１及び第２のフレーム１２１ａ，１２１ｂにより、上下方向から挟持される状態で保持されている。このため、給電時にバッテリ４０をよりしっかりと保持することができる。
【００７７】
（第７の実施形態）  
次に、第７の実施形態について図１２を用いて説明する。この実施形態は第１の実施形態の変形例である。この実施形態は、バッテリ４０とリール３０とを電気的に接続する配線の構成が異なる。
【００７８】
図１２に示すように、リールシート５２の内部には上述した給電コード６０とは異なる電気配線１３０が形成されている。電気配線１３０の一端（後端）にはバッテリ４０が接続されている。すなわち、電気配線１３０の一端は、バッテリ４０の接続部４４に差し込まれている。リール３０には、リールシート５２の孔部１４１に挿入される給電部１４２が設けられている。電気配線１３０の他端（前端）には電動リール３０の給電部１４２が接続されている。すなわち、グリップ本体７２、リール取付部１４ｂを通って、電気配線１３０の他端が電動リール３０の給電部１４２に接続されている。  
なお、リールシート５２にある決まった電動リール３０を取り付けると、自動的にリール３０の給電部１４２と電気配線１３０の他端とが接続されることが好ましい。すなわち、リールシート５２に電動リール３０の取付脚部３０ａを取り付けたときに、給電部１４２が所定の位置に配置されることが好ましい。
【００７９】
このような構成にすることにより、例えば第１の実施形態のようにコード６０をハンドル１４の外方に延出することなく、バッテリ４０から電気配線１３０を介してリール３０に給電を行うことが可能となる。
【００８０】
なお、この実施形態では電動リール３０から電気配線１３０を介してバッテリ４０に接続する構造について説明したが、電気配線１３０は必ず必要というわけではない。電動リール３０の給電部１４２とバッテリケース部８０との位置を近づけた配置にすることによって、バッテリケース部８０に配置したバッテリ４０に直接電動リール３０の給電部１４２を接続することができる。
【００８１】
（第８の実施形態）  
次に、第８の実施形態について図１３を用いて説明する。この実施形態は第２の実施形態の変形例である。この実施形態では、後グリップ１４ｃの構成が異なる。
【００８２】
図１３に示すように、後グリップ１４ｃは、前方に向かって底部までの寸法が小さくなる容器状又はラック状（籠状）のバッテリケース部１４０を備える。バッテリ４０のバッテリケース部１４０による保持状態では、バッテリ４０は、ハンドル１４の中心軸Ｃに対してバッテリ４０の中心軸が傾斜した状態で保持されている。バッテリ４０は、接続部４４がグリップ本体７２の溝部１０４の方向（上方向）を向くように、傾斜した状態で保持されている。この状態では、ハンドル１４の長手方向の中心軸Ｃにバッテリ４０の少なくとも一部がかかる状態で、バッテリ４０が保持される。このため、ハンドル１４を把持して釣りを行う際には、バランスが取れた安定した状態で把持可能となり、釣りの操作を行い易くなる。
【００８３】
また、バッテリ４０のバッテリケース部１４０による保持状態では、バッテリ４０の接続部４４が溝部１０４の方向を向くように傾斜しているため、コード６０をバッテリ４０に接続し易くなっている。さらに、釣り人が釣りを行う際に、バッテリ４０のボディ４２の尻部が下側を向くように傾斜するため、バッテリ４０のバッテリ収納部Ｔへのすわりが良く、バッテリケース部１４０によりしっかりとバッテリ４０を保持することができる。
【００８４】
（第９の実施形態）  
次に、第９の実施形態について図１４を用いて説明する。この実施形態は第１の実施形態の変形例である。この実施形態では、ハンドル１４の構成が異なる。
【００８５】
図１４に示すように、本実施形態のハンドル１４では、第１の実施形態のように後グリップ１４ｃにバッテリケース部８０が設けられるのではなく、前グリップ１４ａとリール取付部１４ｂとの間、すなわちリールシート５２よりハンドル１４の前方側にバッテリケース部１５０が設けられている。バッテリケース部１５０は、上述した実施形態とは異なりバッテリ４０の接続部４４がハンドル１４の後方を向いた状態で、バッテリ４０を保持している。バッテリ４０の接続部４４には、バッテリ用コネクタ６４を介して給電コード６０の一端が接続されている。
【００８６】
バッテリケース部１５０とリールシート５２との間には、円筒部１５１が設けられている。円筒部１５１の外周面には、切欠き溝１５２が形成されている。コード６０は、円筒部１５１の挿通部（中空部）Ｓを通って、切欠き溝１５２からハンドル１４の外側に延出され、リール用コネクタ６２を介して他端が電動リール３０の給電部３８に接続されている。
【００８７】
このような構成にすることにより、釣りの際に釣り人が主に把持するハンドル１４の後グリップ１４ｃにバッテリケース部が設けられていないため、後グリップ１４ｃの握持が容易であるとともに、例えば後グリップ１４ｃを釣り人の腋の下等に挟んだ状態でハンドル１４を容易に保持することができ、釣り人がより安定した状態で釣竿１０を保持することができる。
【００８８】
また、バッテリケース部１５０とリールシート５２との間に円筒部１５１が設けられていることによって、例えば船釣時に用いる図示しないロッドクランプ（ロッドホルダ）等を取り付ける取付領域を円筒部１５１に確保することができる。
【００８９】
これまで、いくつかの実施形態について図面を参照しながら具体的に説明したが、この発明は、上述した実施形態に限定されるものではなく、その要旨を逸脱しない範囲で行なわれるすべての実施を含む。
【符号の説明】
【００９０】
１…魚釣装置、１０…釣竿、１２…竿部、１４…ハンドル、１４ａ…前グリップ、１４ｂ…リール取付部、１４ｃ…後グリップ、３０…電動リール、３０ａ…取付脚部、３２…リール本体、３８…給電部、４０…バッテリ、４２…ボディ、４６…肩部、５２…リールシート、５２ａ…取付脚部載置面、６０…コード、６２…リール用コネクタ、６４…バッテリ用コネクタ、７２…グリップ本体、７４…凹部、７４ａ…挿通孔、７４ｂ…傾斜面、７５…変位部、８０…バッテリケース部、８０ａ…開口部、８２…拡径部、８４…大径部、８６…縮径部、８８…バッテリ保持体、９０…柱状部、９２…腹当。
【図１】
0005448796.tif 000002
【図２】
0005448796.tif 000003
【図３】
0005448796.tif 000004
【図４】
0005448796.tif 000005
【図５】
0005448796.tif 000006
【図６】
0005448796.tif 000007
【図７】
0005448796.tif 000008
【図８】
0005448796.tif 000009
【図９】
0005448796.tif 000010
【図１０】
0005448796.tif 000011
【図１１】
0005448796.tif 000012
【図１２】
0005448796.tif 000013
【図１３】
0005448796.tif 000014
【図１４】
0005448796.tif 000015